【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】電子機器


【手続補正２】
【補正対象書類名】明細書
【補正対象項目名】特許請求の範囲
【補正方法】変更
【補正の内容】
【特許請求の範囲】
【請求項１】
外部からの指示を入力する操作部を有する本体部と、
前記本体部に対し開閉可能に設けられる蓋部と、
前記本体部および前記蓋部の開動作および閉動作の少なくとも一方を検知する開閉検出部と、
可聴音データを保持する記憶部と、
前記開閉検出部の検知動作時、前記記憶部に保持された可聴音データを読出し、可聴音を出力する可聴音出力部とを備える、電子機器。
【請求項２】
外部からの指示を入力する操作部を有する本体部と、
前記本体部に対し開閉可能に設けられる蓋部と、
前記本体部および前記蓋部の開動作および閉動作の少なくとも一方を検知する開閉検出部と、
可聴音データを保持する記憶部と、
内部状態が予め定められた所定の警告条件に該当するか否かを判定する警告条件判定手段と、
前記開閉検出部の検知動作時、前記警告条件判定手段の判定結果に基づいて前記記憶部に保持された可聴音データを読出し、可聴音を出力する可聴音出力部とを備える、電子機器。
【請求項３】
内部回路群に駆動電力を供給するバッテリー部と、
前記バッテリー部の出力電圧レベルを検知する電圧検知手段とをさらに備え、
前記警告条件判定手段は、前記出力電圧レベルが所定の電圧レベル以下であるときに、前記警告条件に該当すると判断する、請求項２記載の電子機器。
【請求項４】
前記記憶部は、前記可聴音データを複数個記憶し、
前記電子機器は、前記複数個の可聴音データのうちの１つを選択する可聴音選択手段をさらに備え、
前記可聴音出力部は、前記可聴音選択手段によって選択された可聴音データを読出す、請求項１または２に記載の電子機器。
【請求項５】
前記記憶部は、可聴音データを書込可能な領域を含む、請求項１または２に記載の電子機器。
【請求項６】
外部からの指示を入力する操作部を有する本体部と、
前記本体部に対し開閉可能に設けられる蓋部と、
前記本体部および前記蓋部の開動作および閉動作の少なくとも一方を検知する開閉検出部と、
前記開閉検出部の検知動作時、内部情報に基づいた音声情報データを生成し、可聴音を出力する可聴音出力部とを備える、電子機器。
【請求項７】
前記音声情報データは、前記開閉検出部の検知動作時における現在時刻である、請求項６記載の電子機器。
【請求項８】
前記音声データは、前記開閉検出部の前記閉動作検知時における通話時間である、請求項６記載の電子機器。
【請求項９】
前記開閉検出部の検知動作時であっても、前記可聴音出力部の可聴音出力を強制的に中止する強制停止手段をさらに備える、請求項１、２または６に記載の電子機器。
【請求項１０】
前記開閉検出部の検知動作時であっても、着信音の出力を停止する特定の動作モードが指定されているときには、前記可聴音出力部の可聴音出力を強制的に中止する選択起動手段をさらに備える、請求項１、２または６に記載の電子機器。
【請求項１１】
前記特定の動作モードは、着信を振動で外部に通知するモードである、請求項１０記載の電子機器。
【請求項１２】
前記蓋部はフリップである、請求項１、２または６に記載の電子機器。
【請求項１３】
折りたたみ収納可能な複数の部分に分割されており、
前記本体部および前記蓋部は前記複数の部分のうちの１つである、請求項１、２または６に記載の電子機器。
【手続補正３】
【補正対象書類名】明細書
【補正対象項目名】０００５
【補正方法】変更
【補正の内容】
【０００５】
この発明の目的は、蓋部の開閉動作に応じて、可聴音情報を出力することが可能な無線電話装置（電子機器）を提供することである。


【手続補正４】
【補正対象書類名】明細書
【補正対象項目名】０００６
【補正方法】変更
【補正の内容】
【０００６】
【課題を解決するための手段】
請求項１記載の電子機器は、外部からの指示を入力する操作部を有する本体部と、
本体部に対し開閉可能に設けられる蓋部と、本体部および蓋部の開動作および閉動作の少なくとも一方を検知する開閉検出部と、可聴音データを保持する記憶部と、開閉検出部の検知動作時、記憶部に保持された可聴音データを読出し、可聴音を出力する可聴音出力部とを備える。


【手続補正５】
【補正対象書類名】明細書
【補正対象項目名】０００７
【補正方法】変更
【補正の内容】
【０００７】
請求項２記載の電子機器は、本体部に対し開閉可能に設けられる蓋部と、本体部および蓋部の開動作および閉動作の少なくとも一方を検知する開閉検出部と、可聴音データを保持する記憶部と、内部状態が予め定められた所定の警告条件に該当するか否かを判定する警告条件判定手段と、開閉検出部の検知動作時、警告条件判定手段の判定結果に基づいて記憶部に保持された可聴音データを読出し、可聴音を出力する可聴音出力部とを備える。
【手続補正６】
【補正対象書類名】明細書
【補正対象項目名】０００８
【補正方法】変更
【補正の内容】
【０００８】
請求項３記載の電子機器は、請求項２記載の電子機器であって、内部回路群に駆動電力を供給するバッテリー部と、バッテリー部の出力電圧レベルを検知する電圧検知手段とをさらに備え、警告条件判定手段は、出力電圧レベルが所定の電圧レベル以下であるときに、警告条件に該当すると判断する。
【手続補正７】
【補正対象書類名】明細書
【補正対象項目名】０００９
【補正方法】変更
【補正の内容】
【０００９】
請求項４記載の電子機器は、請求項１または２記載の電子機器であって、記憶部は、可聴音データを複数個記憶し、複数個の可聴音データのうちの１つを選択する可聴音選択手段をさらに備え、可聴音出力部は、可聴音選択手段によって選択された可聴音データを読出す。
【手続補正８】
【補正対象書類名】明細書
【補正対象項目名】００１０
【補正方法】変更
【補正の内容】
【００１０】
請求項５記載の電子機器は、請求項１または２記載の電子機器であって、記憶部は、可聴音データを書込可能な領域を含む。
【手続補正９】
【補正対象書類名】明細書
【補正対象項目名】００１１
【補正方法】変更
【補正の内容】
【００１１】
請求項６記載の電子機器は、外部からの指示を入力する操作部を有する本体部と、本体部に対し開閉可能に設けられる蓋部と、本体部および蓋部の開動作および閉動作の少なくとも一方を検知する開閉検出部と、開閉検出部の検知動作時、内部情報に基づいた音声情報データを生成し、可聴音を出力する可聴音出力部とを備える。


【手続補正１０】
【補正対象書類名】明細書
【補正対象項目名】００１２
【補正方法】変更
【補正の内容】
【００１２】
請求項７記載の電子機器は、請求項６記載の電子機器であって、音声情報データは、開閉検出部の検知動作時における現在時刻である。
【手続補正１１】
【補正対象書類名】明細書
【補正対象項目名】００１３
【補正方法】変更
【補正の内容】
【００１３】
請求項８記載の電子機器は、請求項６記載の電子機器であって、音声データは、開閉検出部の閉動作検知時における通話時間である。
【手続補正１２】
【補正対象書類名】明細書
【補正対象項目名】００１４
【補正方法】変更
【補正の内容】
【００１４】
請求項９記載の電子機器は、請求項１、２または６記載の電子機器であって、開閉検出部の検知動作時であっても、可聴音出力部の可聴音出力を強制的に中止する強制停止手段をさらに備える。
【手続補正１３】
【補正対象書類名】明細書
【補正対象項目名】００１５
【補正方法】変更
【補正の内容】
【００１５】
請求項１０記載の電子機器は、請求項１、２または６記載の電子機器であって、開閉検出部の検知動作時であっても、着信音の出力を停止する特定の動作モードが指定されているときには、可聴音出力部の可聴音出力を強制的に中止する選択起動手段をさらに備える。


【手続補正１４】
【補正対象書類名】明細書
【補正対象項目名】００１６
【補正方法】変更
【補正の内容】
【００１６】
請求項１１記載の電子機器は、請求項１０記載の電子機器であって、特定の動作モードは、着信を振動で外部に通知するモードである。


【手続補正１５】
【補正対象書類名】明細書
【補正対象項目名】００１７
【補正方法】変更
【補正の内容】
【００１７】
請求項１２記載の電子機器は、請求項１、２または６のいずれか１項に記載の電子機器であって、蓋部はフリップである。


【手続補正１６】
【補正対象書類名】明細書
【補正対象項目名】００１８
【補正方法】変更
【補正の内容】
【００１８】
請求項１３記載の電子機器は、請求項１、２または６記載の電子機器であって、折りたたみ収納可能な複数の部分に分割されており、本体部および蓋部は複数の部分のうちの１つである。


【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００７９
【補正方法】変更
【補正の内容】
【００７９】
【発明の効果】
請求項１記載の電子機器は、蓋部の開／閉動作に応答して効果音等の可聴音を出力できるので、娯楽性の向上を図ることができる。


【手続補正２４】
【補正対象書類名】明細書
【補正対象項目名】００８０
【補正方法】変更
【補正の内容】
【００８０】
請求項２記載の電子機器は、蓋部の開／閉動作に応答して、電子機器の内部状態が所定の警告条件に該当している場合に可聴音を出力することができるので、ユーザの利便性を向上することができる。


【手続補正２５】
【補正対象書類名】明細書
【補正対象項目名】００８１
【補正方法】変更
【補正の内容】
【００８１】
請求項３記載の電子機器は、蓋部の開／閉動作に応答して、バッテリーの電圧レベルを自動判定するので、請求項２に記載の電子機器が奏する効果に加えて、充電が必要な時期をユーザに対してより確実に知らせることができる。


【手続補正２６】
【補正対象書類名】明細書
【補正対象項目名】００８２
【補正方法】変更
【補正の内容】
【００８２】
請求項４記載の電子機器は、出力される可聴音を複数の候補から選択することができるので、請求項１または２に記載の電子機器が奏する効果に加えて、さらに娯楽性の向上を図ることができる。


【手続補正２７】
【補正対象書類名】明細書
【補正対象項目名】００８３
【補正方法】変更
【補正の内容】
【００８３】
請求項５記載の電子機器は、書込可能な領域にユーザが入力した可聴音データに基づいた可聴音を出力することができるので、請求項１または２に記載の電子機器が奏する効果に加えて、さらに娯楽性の向上を図ることができる。


【手続補正２８】
【補正対象書類名】明細書
【補正対象項目名】００８４
【補正方法】変更
【補正の内容】
【００８４】
請求項６記載の電子機器は、蓋部の開／閉動作に応答して、装置の内部情報に基づいた音声情報データを出力することができるので、娯楽性のみならずユーザの利便性を向上することができる。


【手続補正２９】
【補正対象書類名】明細書
【補正対象項目名】００８５
【補正方法】変更
【補正の内容】
【００８５】
請求項７記載の電子機器は、請求項６に記載の電子機器が奏する効果に加えて、音声情報データとして現在時刻をユーザに知らせることができる。


【手続補正３０】
【補正対象書類名】明細書
【補正対象項目名】００８６
【補正方法】変更
【補正の内容】
【００８６】
請求項８記載の電子機器は、請求項６に記載の電子機器が奏する効果に加えて、音声情報データとして現在時刻をユーザに知らせることができる。


【手続補正３１】
【補正対象書類名】明細書
【補正対象項目名】００８７
【補正方法】変更
【補正の内容】
【００８７】
請求項９記載の電子機器は、蓋部の開／閉動作に応答する可聴音の出力を強制的に中止するので、請求項１、２または６記載の電子機器が奏する効果に加えて、ユーザの利便性を向上させることができる。


【手続補正３２】
【補正対象書類名】明細書
【補正対象項目名】００８８
【補正方法】変更
【補正の内容】
【００８８】
請求項１０記載の電子機器は、着信音の出力停止を指示する特定の動作モードが指定されている場合には、蓋部の開／閉動作に応答する可聴音の出力を自動的に中止するので、請求項１、２または６記載の電子機器が奏する効果に加えて、ユーザの利便性を向上させることができる。


【手続補正３３】
【補正対象書類名】明細書
【補正対象項目名】００８９
【補正方法】変更
【補正の内容】
【００８９】
請求項１１記載の電子機器は、着信を振動で検知する、いわゆるバイブ着信モードが選択されている場合において、蓋部の開／閉動作に応答する可聴音の出力を自動的に中止するので、請求項１０記載の電子機器において、ユーザの利便性を向上させることができる。


【手続補正３４】
【補正対象書類名】明細書
【補正対象項目名】００９０
【補正方法】変更
【補正の内容】
【００９０】
請求項１２記載の電子機器は、フリップを備える電子機器について、フリップの開閉動作に応答して請求項１、２または６に記載の電子機器が奏する効果を享受することができる。


【手続補正３５】
【補正対象書類名】明細書
【補正対象項目名】００９１
【補正方法】変更
【補正の内容】
【００９１】
請求項１３記載の電子機器は、折畳み収納式の電子機器について、本体の開閉動作に応答して請求項１、２または６に記載の電子機器が奏する効果を享受することができる。


【手続補正３６】
【補正対象書類名】明細書
【補正対象項目名】００９２
【補正方法】削除
【補正の内容】
【手続補正３７】
【補正対象書類名】明細書
【補正対象項目名】００９３
【補正方法】削除
【補正の内容】
【手続補正３８】
【補正対象書類名】明細書
【補正対象項目名】００９４
【補正方法】削除
【補正の内容】
【手続補正３９】
【補正対象書類名】明細書
【補正対象項目名】００９５
【補正方法】削除
【補正の内容】
【手続補正４０】
【補正対象書類名】明細書
【補正対象項目名】００９６
【補正方法】削除
【補正の内容】